(57)【特許請求の範囲】
【請求項１】
遊技機の遊技盤に設けられた演出用役物装置において、
演出に用いられ、軸周り方向に回転する軸部を有する可動演出部と、
前記軸部を回動させる駆動部と、を少なくとも備え、
前記可動演出部は、
前記軸部の一部である複数の軸部材と、
複数の前記軸部材の軸方向両端に交互に組み付けて配置され、前記軸部材と一体に回転する複数のカム体と、
複数の前記カム体の夫々に対応して配置され、前記カム体の回転に起因して揺動する複数の装飾部材と、を有し、
前記軸部材の軸方向一端に配置された第１の嵌合部と前記カム体の軸方向一端に配置された第１の被嵌合部とが組み付け可能であるとともに、前記軸部材の軸方向他端に配置された第２の嵌合部と前記カム体の軸方向他端に配置された第２の被嵌合部とが組み付け可能であり、
前記第１及び第２の嵌合部、前記第１及び第２の被嵌合部の何れか一方が軸方向両端面で互いに異なる位置に配置され、前記第１及び第２の嵌合部、前記第１及び前記第２の被嵌合部の何れか他方が軸方向両端面で互いに同じ位置に配置されたこと、
を特徴とする演出用役物装置。
【請求項２】
前記可動演出部は、前記軸部に一体に形成された回転輪を有する複数のカム軸体と、複数の前記カム軸体の夫々に対応して配置され、前記カム軸体の回転に起因して揺動する複数の装飾部材と、を有し、
複数の前記カム軸体のうち、一方の前記カム軸体の一端に配置された嵌合部と他方の前記カム軸体の他端に配置された被嵌合部とが組み付け可能であり、前記嵌合部及び前記被嵌合部が前記軸部の軸方向両面で互いに異なる位置に配置されたこと、
を特徴とする請求項１記載の演出用役物装置。
【請求項３】
前記第１及び第２の嵌合部、前記第１及び第２の被嵌合部の両方が、軸方向両端面で互いに異なる位置に配置され、複数の前記装飾部材の夫々を異なるタイミングで揺動させること、
を特徴とする請求項１記載の演出用役物装置。
【発明の詳細な説明】
【技術分野】
【０００１】
本発明は、遊技機の遊技盤の設けられた演出用役物装置に関する。
【背景技術】
【０００２】
従来、遊技機の遊技盤面には、演出用役物と称される複数の装飾部品を備えた演出用役物装置が配置されている。この演出用役物装置には、例えば、複数の装飾部品を異なるタイミングで可動させて遊技性を向上させるものが知られている。
【０００３】
複数の装飾部品を異なるタイミングで可動させることが可能なものとして、例えば、特許文献１には、駆動軸に取り付けられた複数のカム体を備え、各カム体に対応して配置された各可動装飾部品を異なるタイミングで可動させた遊技盤面装飾部品に関する技術が開示されている。
【先行技術文献】
【特許文献】
【０００４】
【特許文献１】特開２００９−２２６０３４号公報
【発明の概要】
【発明が解決しようとする課題】
【０００５】
ところで、上記特許文献１は、複数のカム体を駆動軸の軸周り方向に対する取り付け角度を異ならせて取り付けることで、各可動装飾部品を異なるタイミングで可動させているが、カム体を駆動軸に取り付ける際、各カム体の取り付け角度を適宜設定しなければならないため、組み立て工程が複雑化してしまうという技術的課題がある。
【０００６】
本発明の目的は、上記従来の実状を鑑みて、複数のカム体を組み付ける際、誤った組み付け位置に組み付けることを予防することが可能であるとともに、カム体の組み付け角度を設定することなく、各装飾部品を異なるタイミングで可動させることが可能な演出用役物装置を提供することにある。
【課題を解決するための手段】
【０００７】
上記課題を解決するために、本発明に係る演出用役物装置は、演出に用いられ、軸周り方向に回転する軸部を有する可動演出部と、上記軸部を回動させる駆動部と、を少なくとも備え、上記可動演出部は、上記軸部の一部である複数の軸部材と、複数の上記軸部材の軸方向両端に交互に組み付けて配置され、上記軸部材と一体に回転する複数のカム体と、複数の上記カム体の夫々に対応して配置され、上記カム体の回転に起因して揺動する複数の装飾部材と、を有し、上記軸部材の軸方向一端に配置された第１の嵌合部と上記カム体の軸方向一端に配置された第１の被嵌合部とが組み付け可能であるとともに、上記軸部材の軸方向他端に配置された第２の嵌合部と上記カム体の軸方向他端に配置された第２の被嵌合部とが組み付け可能であり、上記第１及び第２の嵌合部、上記第１及び第２の被嵌合部の何れか一方が軸方向両端面で互いに異なる位置に配置され、上記第１及び第２の嵌合部、上記第１及び上記第２の被嵌合部の何れか他方が軸方向両端面で互いに同じ位置に配置されて構成されている。
【発明の効果】
【０００８】
本発明によれば、複数のカム体を組み付ける際、誤った組み付け位置に組み付けることを予防することが可能であるとともに、カム体の組み付け角度を設定することなく、各装飾部品を異なるタイミングで可動させることが可能な演出用役物装置を提供することができる。
【図面の簡単な説明】
【０００９】
【図１】本発明の一実施の形態である演出用役物装置を備えた遊技盤の構成を模式的に示す正面図である。
【図２】本発明の一実施の形態である演出用役物装置の構成を模式的に示す斜視図である。
【図３】本発明の一実施の形態である演出用役物装置について内部構造を模式的に示す斜視図である。
【図４】本発明の一実施の形態である演出用役物装置について分解した状態を模式的に示す分解斜視図である。
【図５Ａ】本発明の一実施の形態である演出用役物装置の軸部材の構成を模式的に示す側面図である。
【図５Ｂ】本発明の一実施の形態である演出用役物装置の軸部材の構成を模式的に示す平面図である。
【図５Ｃ】本発明の一実施の形態である演出用役物装置の軸部材の構成を模式的に示す底面図である。
【図６Ａ】本発明の一実施の形態である演出用役物装置のカム体の第１面の構成を模式的に示す斜視図である。
【図６Ｂ】本発明の一実施の形態である演出用役物装置のカム体の第２面の構成を模式的に示す斜視図である。
【図６Ｃ】本発明の一実施の形態である演出用役物装置のカム体の構成を模式的に示す平面図である。
【図６Ｄ】本発明の一実施の形態である演出用役物装置のカム体の構成を模式的に示す底面図である。
【図６Ｅ】図６Ｃにおける線Ｉ−Ｉ´を模式的に示す断面図である。
【図７Ａ】本発明の一実施の形態の変形例１である演出用役物装置の軸部材の構成を模式的に示す側面図である。
【図７Ｂ】本発明の一実施の形態の変形例１である演出用役物装置の軸部材の構成を模式的に示す平面図である。
【図７Ｃ】本発明の一実施の形態の変形例１である演出用役物装置の軸部材の構成を模式的に示す底面図である。
【図８Ａ】本発明の一実施の形態の変形例１である演出用役物装置のカム体の第１面の構成を模式的に示す斜視図である。
【図８Ｂ】本発明の一実施の形態の変形例１である演出用役物装置のカム体の第２面の構成を模式的に示す斜視図である。
【図８Ｃ】本発明の一実施の形態の変形例１である演出用役物装置のカム体の構成を模式的に示す平面図である。
【図８Ｄ】本発明の一実施の形態の変形例１である演出用役物装置のカム体の構成を模式的に示す底面図である。
【図９Ａ】本発明の一実施の形態の変形例２である演出用役物装置のカム軸体の第１面の構成を模式的に示す斜視図である。
【図９Ｂ】本発明の一実施の形態の変形例２である演出用役物装置のカム軸体の第２面の構成を模式的に示す斜視図である。
【図９Ｃ】本発明の一実施の形態の変形例２である演出用役物装置のカム軸体の構成を模式的に示す平面図である。
【図９Ｄ】本発明の一実施の形態の変形例２である演出用役物装置のカム軸体の構成を模式的に示す底面図である。
【図１０Ａ】本発明の一実施の形態である演出用役物装置の軸部材及びカム体について分解した状態を模式的に示す側面図である。
【図１０Ｂ】図１０Ａにおける線ＩＩ−ＩＩ´を模式的に示す平面図である。
【図１０Ｃ】図１０Ａにおける線ＩＩＩ−ＩＩＩ´を模式的に示す平面図である。
【図１０Ｄ】図１０Ａにおける線ＩＶ−ＩＶ´を模式的に示す平面図である。
【図１１Ａ】本発明の一実施の形態である演出用役物装置の第１の動作を模式的に示す側面図である。
【図１１Ｂ】本発明の一実施の形態である演出用役物装置の第２の動作を模式的に示す側面図である。
【図１１Ｃ】本発明の一実施の形態である演出用役物装置の第３の動作を模式的に示す側面図である。
【発明を実施するための形態】
【００１０】
以下、図面を参照しながら、本発明の実施の形態について詳細に説明する。なお、遊技機には、例えば、パチンコ遊技機、アレンジボール機又は雀球遊技機等があるが、本発明の実施の形態１では、一例として、パチンコ遊技機に基づいて説明する。
【００１１】
（実施の形態１）
まず、本発明の一実施の形態である遊技機の遊技盤１００に係る構成について図１を用いて説明する。図１は、本発明の一実施の形態である演出用役物装置１０を備えた遊技盤１００の構成を模式的に示す正面図である。
【００１２】
図１に例示されるように、本実施の形態において、遊技機は、入賞装置、風車、障害釘等の遊技部品が配置された遊技領域１０１を有する遊技盤１００を備えて構成されている。
【００１３】
遊技盤１００は、遊技機を遊技場に設置する際、設置面に対して略垂直に立設するようにして図示しない遊技盤保持枠に固定されている。すなわち、遊技盤１００の表面（以下、遊技面１０２という。）は、図示しない透過部材を介して遊技者に対面するように配置されている。
【００１４】
本実施の形態において、遊技盤１００は、木材等を用いて平板状に形成され、上述したように、遊技面１０２に入賞装置、風車、障害釘等の遊技部品を配設してなる遊技領域１０１を有して構成されている。
【００１５】
遊技面１０２には、図示しない発射装置により発射された遊技球を遊技領域１０１に案内する役目を果たし、遊技領域１０１を囲うように、遊技面１０２に対して垂直に起立して配置された帯状の外ガイドレール１０３が設けられている。
【００１６】
外ガイドレール１０３は、遊技面１０２を正面視すると左側下方から右側上方にかけて遊技領域１０１を囲うように配置されている。具体的には、外ガイドレール１０３の一端１０３ａが、遊技面１０２を正面視すると左側下方に配置され、他端１０３ｂが、遊技面１０２の右側上方に配置されている。そして、外ガイドレール１０３は、外ガイドレール１０３を可撓させて一端１０３ａから他端１０３ｂまで円弧を描くように湾曲して配置されている。
【００１７】
本実施の形態において、外ガイドレール１０３の材質は、プラスチック製素材を用いて形成されている。なお、外ガイドレール１０３の材質は、プラスチック製素材に限定されず、例えば、金属性素材等を用いて形成しても良い。
【００１８】
外ガイドレール１０３の他端１０３ｂの近傍には、遊技面１０２を飾りつける飾り部材１０４が配置されている。この飾り部材１０４は、遊技面１０ａを正面視すると上方から下方に向かって遊技面１０２に対して垂直に起立する起立面１０４ａを有して構成されている。
【００１９】
飾り部材１０４の起立面１０４ａは、この起立面１０４ａの上方に位置する外ガイドレール１０３の他端１０３ｂに連設して配置されている。そして、飾り部材１０４の起立面１０４ａの高さは、外ガイドレール１０３の起立高さと同じ高さで形成されている。すなわち、飾り部材１０４の起立面１０４ａは、外ガイドレール１０３と同様に、遊技領域１０１を囲うように配置されている。
【００２０】
飾り部材１０４の下方には、遊技状況を表示する表示装置１０５が配置されている。表示装置１０５は、遊技面１０２から突出して配置されており、遊技面１０２を正面視すると右側から中心側に向けて下方に傾斜させた直線状の傾斜面１０６を有して構成されている。
【００２１】
表示装置１０５の傾斜面１０６は、この傾斜面１０６の他端１０６ａが、遊技面１０２を正面視すると傾斜面１０６の右側に位置する表示装置１０５の飾り部材１０４の図示しない他端に連設して配置されている。
【００２２】
一方、傾斜面１０６の一端１０６ｂが、後述する内ガイドレール１０７の一端１０７ａに連接して配置されている。そして、傾斜面１０６の高さは、起立面１０４ａの起立高さと同じ高さで形成されている。すなわち、傾斜面１０６は、起立面１０４ａと同様に、遊技領域１０１を囲うように配置されている。
【００２３】
なお、本実施の形態において、表示装置１０５の位置については、遊技面１０２を正面視すると右側下方に配置されているが、この位置に限定されず、例えば、中央下方等に配置しても良い。この場合、表示装置１０５の傾斜面１０６の代わりに、第２の飾り部材を設け、この第２の飾り部材は、表示装置１０５と同様に、傾斜面を有して構成されている。
【００２４】
また、遊技面１０２には、外ガイドレール１０３と共に、図示しない発射装置により発射された遊技球を遊技領域１０１に案内する役目を果たし、外ガイドレール１０３と同様に、遊技領域１０１を囲うように、遊技面１０２に対して垂直に起立して配置された帯状の内ガイドレール１０７が設けられている。
【００２５】
本実施の形態において、内ガイドレール１０７の材質も、内ガイドレール１０７の材質と同様に、プラスチック製素材を用いて形成されている。なお、内ガイドレール１０７の材質も、プラスチック製素材に限定されず、例えば、金属性素材等を用いて形成しても良い。
【００２６】
内ガイドレール１０７は、遊技面１０２を正面視すると、外ガイドレール１０３の内側に配置され、中央下方から左側上方にかけて遊技領域１０１を囲うように配置されている。具体的には、内ガイドレール１０７の一端１０７ａが、遊技面１０２を正面視すると中央下方に配置され、他端１０７ｂが遊技面１０２の左側上方に配置されている。そして、内ガイドレール１０７は、内ガイドレール１０７を可撓させて一端１０７ａから他端１０７ｂまで円弧を描くように湾曲して配置されている。
【００２７】
内ガイドレール１０７は、上述したように、内ガイドレール１０７の一端１０７ａが、遊技領域１０１を正面視すると中央下方に配置されているが、この一端１０７ａは、遊技面１０２の軸よりも右側に配置されており、一端１０７ａから遊技面１０２の軸に向かって下方に傾斜しながら時計回り方向に緩やかに湾曲して配置されている。
【００２８】
すなわち、内ガイドレール１０７は、遊技面１０２の軸上において、最も下方に位置すると共に、この位置から他端１０７ｂに向かって上方に傾斜しながら時計回り方向に緩やかに湾曲して配置されている。
【００２９】
このように、外ガイドレール１０３の内側に内ガイドレール１０７が配置され、これら外ガイドレール１０３及び内ガイドレール１０７は、所定の間隔を保って互いに対向して配置されている。そして、外ガイドレール１０３及び内ガイドレール１０７の間には、遊技球が通過可能なガイド通路１０８が区画されている。
【００３０】
ガイド通路１０８は、上述したように、外ガイドレール１０３及び内ガイドレール１０７の間に区画されている。そして、ガイド通路１０８は、図示しない接続通路を介して図示しない発射装置に連接されている。
【００３１】
すなわち、ガイド通路１０８は、発射装置により発射された遊技球が接続通路を通過した後、ガイド通路１０８を通過することで、遊技球が遊技面１０２の左側下方から左側上方に向かって飛び出すように区画されている。
【００３２】
このように、遊技面１０２には、外ガイドレール１０３、飾り部材１０４、表示装置１０５、内ガイドレール１０７が連続して、互いに連接して配置されることで、ガイド通路１０８及び遊技領域１０１が隣接した状態で囲繞形成されている。
【００３３】
遊技領域１０１には、遊技の演出を行う演出装置が配置されている。具体的には、遊技領域１０１の中央部分には、液晶表示器（ＬＣＤ）等からなる図示しない液晶表示装置が配置されている。
【００３４】
そして、液晶表示装置の周辺には、液晶表示装置を囲うように複数の演出用役物装置が配置されている。以下、液晶表示装置の左方に配置された演出用役物装置１０について図２〜図４を用いて説明する。
【００３５】
図２は、本発明の一実施の形態である演出用役物装置１０の構成を模式的に示す斜視図であり、図３は、本発明の一実施の形態である演出用役物装置１０について内部構造を模式的に示す斜視図であり、図４は、本発明の一実施の形態である演出用役物装置１０について分解した状態を模式的に示す分解斜視図である。
【００３６】
図２、図３及び図４に例示されるように、本実施の形態の演出用役物装置１０は、演出に用いられ、軸周り方向に回転する軸部を有する可動演出部と、軸部を回転させる駆動部とを備えて構成されている。可動演出部は、軸部の一部である複数の軸部材２０と、複数の軸部材２０の軸方向両端に交互に組み付けて配置され、軸部材２０と一体に回転する複数のカム体３０と、複数のカム体３０の夫々に対応して配置され、カム体３０の回転に起因して揺動する複数の装飾部材４０とを具備して構成されている。
【００３７】
そして、演出用役物装置１０は、これら軸部材２０、カム体３０、装飾部材４０及びモータ５０を収容するケース体１１を備えて構成されている。ケース体１１は、遊技盤１００の遊技面１０２に当接して配置されている。
【００３８】
このケース体１１には、ケース体１１に対して突出するとともに、互いに対向して配置され、後述する軸部材２０及びカム体３０を軸支する軸支ピン１６を回動自在に係止めする対向板１３，１４が設けられている。具体的には、対向板１３，１４には、軸支ピン１６を係止めするための切り欠き１３ａ，１４ａが形成されており、この切り欠き１３ａ，１４ａに軸支ピン１６を挿入することで、軸支ピン１６が回動自在に回転するように係止めされている。また、ケース体１１には、ケース体１１に装飾部材４０を保持するためのピン４５を挿嵌させる複数の孔１５が形成されている。
【００３９】
そして、ケース体１１の下方には、軸部材２０及びカム体３０を回転駆動させるためのモータ５０が配置されている。モータ５０の上方には、このモータ５０を保護するモータケース５１が配置されている。このモータケース５１の上面には、モータ５０の駆動軸に設けられた第１のギア５２と、第１のギア５２に咬合して配置された第２のギア５３とが設けられている。
【００４０】
第２のギア５３には、最下部のカム体３０に組み付けられた第３のギア５４が咬合して配置されている。すなわち、モータ５０の駆動に起因して第１のギア５２、第２のギア５３及び第３のギア５４が連動して軸部材２０及びカム体３０を軸周り方向に回転する役目を果たしている。
【００４１】
また、これら軸部材２０、カム体３０、装飾部材４０及びモータ５０の前面には、軸部材２０、カム体３０を覆うように前ケース１２が配置されている。すなわち、前ケース１２は、軸部材２０及びカム体３０を保護する役目を果たしている。
【００４２】
ケース体１１の幅方向略中央には、ケース体１１の上下方向に沿って交互に組み付けられた複数の軸部材２０及びカム体３０が配置されている。そして、ケース体１１の右方には、複数の装飾部材４０が配置されている。
【００４３】
複数の装飾部材４０は、上述したように、各カム体３０の夫々に対応して配置されている。具体的には、各装飾部材４０は、主たる構成として装飾部品である提灯４１を備えて構成されている。
【００４４】
提灯４１の下方端には、提灯４１の下方に垂下して配置され、提灯４１を上下方向上で維持するための重り部材４５が設けられている。また、提灯４１の下方端には、提灯４１の上下方向に対して略直交方向に向かって延設して配置され、カム体３０の起立壁３７に載置されるステップ４２が設けられている。ステップ４２は、上述したように、起立壁３７に載置され、カム体３０の回転に起因して上下動する。すなわち、重り部材４５は、カム体３０の回転に起因してステップ４２が上下動する際、提灯４１を上下方向上で維持しているため、提灯４１を揺動させる役目を果たしている。
【００４５】
次に、本実施の形態の演出用役物装置１０の軸部材２０について図５Ａ〜図５Ｃを用いて説明する。図５Ａは、本発明の一実施の形態である演出用役物装置１０の軸部材２０の構成を模式的に示す側面図であり、図５Ｂは、本発明の一実施の形態である演出用役物装置１０の軸部材２０の構成を模式的に示す平面図であり、図５Ｃは、本発明の一実施の形態である演出用役物装置１０の軸部材２０の構成を模式的に示す底面図である。
【００４６】
図５Ａ、図５Ｂ及び図５Ｃに例示されるように、本実施の形態の軸部材２０は、遊技盤１００に設置する際、遊技盤１００の上下方向に沿って延設して配置され、上下方向を軸として軸周り方向に回転する円筒状の本体部２１により構成されている。
【００４７】
そして、本体部２１の一端には、後述するカム体３０の第１の凹部３５（第１の被嵌合部）に組み付けられる第１の凸部２２（第１の嵌合部）が形成されている。また、本体部２１の他端には、後述するカム体３０の第２の凹部３４（第２の被嵌合部）に組み付けられる第２の凸部２３（第２の嵌合部）が形成されている。
【００４８】
本実施の形態では、第１の凸部２２と第２の凸部２３とが本体部２１の軸方向両端面で互いに異なる位置に配置されている。具体的には、第１の凸部２２及び第２の凸部２３は、本体部２１の軸方向に対して直交方向に沿って形成されている。すなわち、図５Ｂに例示されるように、第１の凸部２２は、軸部材２０を上方から平面視すると、上下方向に沿って延設して形成されている。一方、図５Ｃに例示されるように、第２の凸部２３は、軸部材２０を下方から平面視すると第１の凸部２２に対して３０°傾けた方向に沿って延設して形成されている。
【００４９】
なお、本実施の形態では、第２の凸部２３が第１の凸部２２に対して３０°傾けた方向に沿って延設して形成されているが、第１の凸部２２に対して異なる角度であれば、３０°に限定されない。
【００５０】
このように、第１の凸部２２と第２の凸部２３とが互いに異なる角度で形成されることで、後述するように、第１の凸部２２及び第２の凸部２３をカム体３０の第１の凹部３５及び第２の凹部３４に組み付ける際、各カム体３０の回転輪３２に形成された起立壁３７の起立高さを異なる位置で位置決めして組み付けることができる。
【００５１】
また、本実施の形態の各軸部材２０は、全て同じ形状で形成されているため、より容易に大量生産することが可能になり、生産性を向上させることができる。
【００５２】
次に、本実施の形態の演出用役物装置１０のカム体３０について図６Ａ〜図６Ｅを用いて説明する。図６Ａは、本発明の一実施の形態である演出用役物装置１０のカム体３０の第１面の構成を模式的に示す斜視図であり、図６Ｂは、本発明の一実施の形態である演出用役物装置１０のカム体３０の第２面の構成を模式的に示す斜視図であり、図６Ｃは、本発明の一実施の形態である演出用役物装置１０のカム体３０の構成を模式的に示す平面図であり、図６Ｄは、本発明の一実施の形態である演出用役物装置１０のカム体３０の構成を模式的に示す底面図であり、図６Ｅは、図６Ｃにおける線Ｉ−Ｉ´を模式的に示す断面図である。
【００５３】
図６Ａ、図６Ｂ、図６Ｃ、図６Ｄ及び図６Ｅに例示されるように、本実施の形態のカム体３０は、遊技盤１００に設置する際、遊技盤１００の上下方向に沿って延設して配置され、上下方向を軸として軸周り方向に回転する円筒状の回転軸３１と、この回転軸３１に一体に形成された回転輪３２とを有して構成されている。
【００５４】
回転軸３１の一端には、軸部材２０の第１の凸部２２（第１の嵌合部）に組み付けられる第１の凹部３５（第１の被嵌合部）が形成されている。また、回転軸３１の他端には、軸部材２０の第２の凸部２３（第２の嵌合部）に組み付けられる第２の凹部３４（第２の被嵌合部）が形成されている。
【００５５】
本実施の形態では、第２の凹部３４と第１の凹部３５とが回転軸３１の軸方向両端面で互いに異なる位置に配置されている。すなわち、図６Ｃに例示されるように、第２の凹部３４は、カム体３０を上方から平面視すると左右方向に沿って延設して形成されている。一方、図６Ｄに例示されるように、第１の凹部３５は、カム体３０を下方から平面視すると第２の凹部３４に対して３０°傾けた方向に沿って延設して形成されている。
【００５６】
なお、本実施の形態では、第１の凹部３５が第２の凹部３４に対して３０°傾けた方向に沿って延設して形成されているが、第２の凹部３４に対して異なる角度であれば３０°に限定されない。
【００５７】
また、本実施の形態では、軸部材２０の第１の凸部２２と第２の凸部２３とが本体部２１に対して互いに異なる直交方向に沿って形成されており、カム体３０の第２の凹部３４と第１の凹部３５とが回転軸３１に対して互いに異なる直交方向に沿って形成されているが、例えば、軸部材２０の第１の凸部２２及び第２の凸部２３を本体部２１に対して互いに異なる直交方向に沿って形成し、カム体３０の第２の凹部３４及び第１の凹部３５を回転軸３１に対して同じ直交方向に沿って形成しても良い。また、軸部材２０の第１の凸部２２及び第２の凸部２３を本体部２１に対して同じ直交方向に沿って形成し、カム体３０の第２の凹部３４及び第１の凹部３５を回転軸３１に対して互いに異なる直交方向に沿って延設して形成しても良い。
【００５８】
本実施の形態の回転輪３２は、略円盤形状をなして形成されている。そして、回転輪３２の外周縁には、一方向に向かって起立する起立壁３７が形成されている。起立壁３７は、外周縁上で異なる高さで形成されている。
【００５９】
起立壁３７には、上述したように、装飾部材４０に設けられたステップ４２が載置されている。すなわち、起立壁３７は、回転輪３２を回転させることで、ステップ４２を上下動させるように、外周縁上で異なる高さで形成されている。
【００６０】
このように、第２の凹部３４と第１の凹部３５とが互いに異なる角度で形成されることで、第２の凹部３４及び第１の凹部３５を軸部材２０の第１の凸部２２及び第２の凸部２３に組み付ける際、各カム体３０の回転輪３２に形成された起立壁３７の起立高さを異なる位置で位置決めして組み付けることができる。
【００６１】
また、本実施の形態の各カム体３０は、全て同じ形状で形成されているため、より容易に大量生産することが可能になり、生産性を向上させることができる。
【００６２】
（変形例１）
次に、本実施の形態の演出用役物装置１０の軸部材の変形例１について図７Ａ〜図７Ｃを用いて説明する。図７Ａは、本発明の一実施の形態の変形例１である演出用役物装置１０の軸部材７０の構成を模式的に示す側面図であり、図７Ｂは、本発明の一実施の形態の変形例１である演出用役物装置１０の軸部材７０の構成を模式的に示す平面図であり、図７Ｃは、本発明の一実施の形態の変形例１である演出用役物装置１０の軸部材７０の構成を模式的に示す底面図である。
【００６３】
本変形例の軸部材７０は、上述の軸部材２０に対して、カム体８０に組み付けられる第１の嵌合ピン７２（第１の嵌合部）及び第２の嵌合ピン７３（第２の嵌合部）の形状が異なり、他の構成は同様である。したがって、上述の軸部材２０と同一又は相当する部分については、その説明を省略する。
【００６４】
図７Ａ、図７Ｂ及び図７Ｃに例示されるように、本変形例の軸部材７０の本体部７１の一端には、後述するカム体８０の第１の嵌合孔８５（第１の被嵌合部）に組み付けられる第１の嵌合ピン７２（第１の嵌合部）が形成されている。また、本体部７１の他端には、後述するカム体８０の第２の嵌合孔８４（第２の被嵌合部）に組み付けられる第２の嵌合ピン７３（第２の嵌合部）が形成されている。
【００６５】
本変形例では、第１の嵌合ピン７２と第２の嵌合ピン７３とが本体部７１の軸方向両端面で互いに異なる位置に配置されている。すなわち、図７Ｂに例示されるように、第１の嵌合ピン７２は、軸部材７０を上方から平面視すると、右上方に配置されている。一方、図７Ｃに例示されるように、第２の嵌合ピン７３は、軸部材７１を下方から平面視すると、左上方に配置されている。
【００６６】
このように、第１の嵌合ピン７２と第２の嵌合ピン７３とが本体部７１の軸方向両端面で互いに異なる位置に配置されることで、第１の嵌合ピン７２及び第２の嵌合ピン７３をカム体８０の第１の嵌合孔８５及び第２の嵌合孔８４に組み付ける際、各カム体８０の回転輪８２に形成された起立壁８７の起立高さを異なる位置で位置決めして組み付けることができる。
【００６７】
次に、本実施の形態の演出用役物装置１０のカム体８０の変形例１について図８Ａ〜図８Ｄを用いて説明する。図８Ａは、本発明の一実施の形態の変形例１である演出用役物装置１０のカム体８０の第１面の構成を模式的に示す斜視図であり、図８Ｂは、本発明の一実施の形態の変形例１である演出用役物装置１０のカム体８０の第２面の構成を模式的に示す斜視図であり、図８Ｃは、本発明の一実施の形態の変形例１である演出用役物装置１０のカム体８０の構成を模式的に示す平面図であり、図８Ｄは、本発明の一実施の形態の変形例１である演出用役物装置１０のカム体８０の構成を模式的に示す底面図である。
【００６８】
図８Ａ、図８Ｂ、図８Ｃ及び図８Ｄに例示されるように、本変形例のカム体８０の回転軸８１の一端には、軸部材７０の第１の嵌合ピン７２（第１の嵌合部）に組み付けられる第１の嵌合孔８５（第１の被嵌合部）が形成されている。また、回転軸８１の他端には、軸部材７０の第２の嵌合ピン７３（第２の嵌合部）に組み付けられる第２の嵌合孔８４（第２の被嵌合部）が形成されている。
【００６９】
本実施の形態では、第１の嵌合孔８５と第２の嵌合孔８４とが回転軸８１の軸方向両端面で互いに異なる位置に配置されている。すなわち、図８Ｃに例示されるように、第２の嵌合孔８４は、カム体を上方から平面視すると左下方に配置されている。一方、図８Ｄに例示されるように、第１の嵌合孔８５は、カム体を下方から平面視すると右下方に配置されている。
【００７０】
このように、第１の嵌合孔８５と第２の嵌合孔８４とが軸方向両端面で互いに異なる位置に配置されることで、第１の嵌合孔８５及び第２の嵌合孔８４を軸部材７０の第１の嵌合ピン７２及び第２の嵌合ピン７３に組み付ける際、各カム体８０の回転輪８２に形成された起立壁８７の起立高さを異なる位置で位置決めして組み付けることができる。
【００７１】
（変形例２）
次に、本実施の形態の演出用役物装置１０の軸部材及びカム体の変形例２について図９Ａ〜図９Ｄを用いて説明する。図９Ａは、本発明の一実施の形態の変形例２である演出用役物装置１０のカム軸体９０の第１面の構成を模式的に示す斜視図であり、図９Ｂは、本発明の一実施の形態の変形例２である演出用役物装置１０のカム軸体９０の第２面の構成を模式的に示す斜視図であり、図９Ｃは、本発明の一実施の形態である演出用役物装置１０の変形例２であるカム軸体９０の構成を模式的に示す平面図であり、図９Ｄは、本発明の一実施の形態の変形例２である演出用役物装置１０のカム軸体９０の構成を模式的に示す底面図である。
【００７２】
本変形例のカム軸体９０は、上述の軸部材２０及びカム体３０に対して、一体に形成された点が異なり、他の点は同様である。したがって、上述の軸部材２０及びカム体３０と同一又は相当する部分については、その説明を省略する。
【００７３】
図９Ａ、図９Ｂ、図９Ｃ及び図９Ｄに例示されるように、本変形例のカム軸体９０は、遊技盤１００に設置する際、遊技盤１００の上下方向に沿って延設して配置され、上下方向を軸として軸周り方向に回転する円筒状の軸部９１と、この軸部９１に一体に形成された回転輪９２とを有して構成されている。
【００７４】
軸部９１の軸方向両端には、軸方向両端面で互いに異なる位置に配置された凹部９３（嵌合部）及び凸部９４（被嵌合部）が形成されている。すなわち、図９Ｃに例示されるように、凹部９３は、カム軸体９０を上方から平面視すると左右方向に沿って延設して形成されている。一方、図９Ｄに例示されるように、凸部９４は、カム軸体９０を下方から平面視すると凹部９３に対して３０°傾けた方向に沿って延設して形成されている。
【００７５】
なお、本実施の形態では、凸部９４が凹部９３に対して３０°傾けた方向に沿って延設して形成されているが、凹部９３と凸部９４とが互いに異なる角度であれば３０°に限定されない。
【００７６】
このように、凹部９３と凸部９４とが互いに異なる角度で形成されることで、各カム軸体９０を組み付ける際、各カム軸体９０の回転輪９２に形成された起立壁９７の起立高さを異なる位置で位置決めして組み付けることができる。
【００７７】
また、本実施の形態の各カム軸体９０は、全て同じ形状で形成されているため、より容易に大量生産することが可能になり、生産性を向上させることができる。
【００７８】
次に、本実施の形態の演出用役物装置１０の軸部材２０及びカム体３０の組み付け工程について図１０Ａ〜図１０Ｄを用いて説明する。図１０Ａは、本発明の一実施の形態である演出用役物装置１０の軸部材２０及びカム体３０について分解した状態を模式的に示す側面図であり、図１０Ｂは、図１０Ａにおける線ＩＩ−ＩＩ´を模式的に示す平面図であり、図１０Ｃは、図１０Ａにおける線ＩＩＩ−ＩＩＩ´を模式的に示す平面図であり、図１０Ｄは、図１０Ａにおける線ＩＶ−ＩＶ´を模式的に示す平面図である。
【００７９】
図１０Ａに例示されるように、本実施の形態の演出用役物装置１０は、軸支ピン１６を軸にして軸部材２０とカム体３０とを上下方向に沿って交互に組み付けて構成されている。そして、軸部材２０の第２の凸部２３は、上述したように、第１の凸部２２に対して３０°傾けた方向に沿って延設して形成されている。また、カム体３０の第１の凹部３５も、第２の凹部３４に対して３０°傾けた方向に沿って延設して形成されている。
【００８０】
図１０Ｂに例示されるように、最頂部に位置するカム体３０の第２の凹部３４は、カム体３０を上方から平面視すると９０°方向に向けて配置されている。そして、最頂部に位置するカム体３０の第１の凹部３５は、この第１の凹部３５が第２の凹部３４に対して３０°傾けた方向に沿って延設して形成されているため、カム体３０を下方から平面視すると６０°方向に向けて配置されている。
【００８１】
この最頂部に位置するカム体３０の第１の凹部３５に組み付けられた軸部材２０は、軸部材２０を上方から平面視すると６０°方向に向けて配置されている。そして、この軸部材２０は、第２の凸部２３が第１の凸部２２に対して３０°傾けた方向に沿って延設して形成されているため、軸部材２０を下方から平面視すると３０°方向に向けて配置されている。
【００８２】
図１０Ｃに例示されるように、カム体３０の第２の凹部３４は、カム体３０を上方から平面視すると３０°方向に向けて配置されている。そして、カム体３０の第１の凹部３５は、この第１の凹部３５が第２の凹部３４に対して３０°傾けた方向に沿って延設して形成されているため、カム体３０を下方から平面視すると０°方向に向けて配置されている。
【００８３】
カム体３０の第１の凹部３５に組み付けられた軸部材２０は、軸部材２０を上方から平面視すると０°方向に向けて配置されている。そして、軸部材２０は、第２の凸部２３が第１の凸部２２に対して３０°傾けた方向に沿って延設して形成されているため、軸部材２０を下方から平面視すると−３０°方向に向けて配置されている。
【００８４】
図１０Ｄに例示されるように、カム体３０の第２の凹部３４は、カム体３０を上方から平面視すると−３０°方向に向けて配置されている。そして、カム体３０の第１の凹部３５は、この第１の凹部３５が第２の凹部３４に対して３０°傾けた方向に沿って延設して形成されているため、カム体３０を下方から平面視すると−６０°方向に向けて配置されている。
【００８５】
このように、本実施の形態では、軸部材２０とカム体３０とを組み付ける際、カム体３０の組み付け角度を設定することなく、軸部材２０とカム体３０とを単に組み付けるだけで、図１０Ａ〜図１０Ｄに例示されるように、各カム体３０の起立壁３７の高さを、夫々、異なる位置で位置決めして組み付けることができる。
【００８６】
以下、本実施の形態の演出用役物装置１０を用いた動作の工程の一例について図１１Ａ〜図１１Ｃを参照しながら説明する。図１１Ａは、本発明の一実施の形態である演出用役物装置の第１の動作を模式的に示す側面図であり、図１１Ｂは、本発明の一実施の形態である演出用役物装置の第２の動作を模式的に示す側面図であり、図１１Ｃは、本発明の一実施の形態である演出用役物装置の第３の動作を模式的に示す側面図である。
【００８７】
図１１Ａ、図１１Ｂ及び図１１Ｃに例示されるように、本実施の形態の演出用役物装置１０の軸部材２０及びカム体３０は、モータ５０の駆動に起因して、軸部材２０及びカム体３０の上下方向を軸として軸周り方向に回転する。
【００８８】
軸部材２０及びカム体３０が回転することで、カム体３０の起立壁３７に載置された装飾部材４０のステップ４２を上下動させるとともに、装飾部材４０を揺動させる。このとき、軸部材２０とカム体３０とが、各カム体３０の起立壁３７を、夫々、異なる位置で位置決めされて組み付けられているので、各装飾部材４０も、夫々、異なるタイミングで揺動させることができる。
【００８９】
よって、本実施の形態の演出用役物装置１０によれば、カム体３０を組み付ける際、カム体３０の取り付け角度を設定することなく、各装飾部材４０を異なるタイミングで揺動させることができる。
【符号の説明】
【００９０】
１０      演出用役物装置
１１      ケース体
１２      前ケース
２０      軸部材
２１      本体部
２２      第１の凸部
２３      第２の凸部
２４      ピン孔
３０      カム体
３１      回転軸
３２      回転輪
３４      第２の凹部
３５      第１の凹部
３６      ピン孔
３７      起立壁
４０      提灯
５０      モータ
５１      モータケース
５２      第１のギア
５３      第２のギア
７０      軸部材
７１      本体部
７２      第１の嵌合ピン
７３      第２の嵌合ピン
７４      ピン孔
８０      カム体
８１      回転軸
８２      回転輪
８４      第２の嵌合孔
８５      第１の嵌合孔
８６      ピン孔
８７      起立壁
９０      カム軸体
９１      軸部
９２      回転輪
９３      凹部
９４      凸部
９７      起立壁
１００      遊技盤
１０１      遊技領域
１０２      遊技面
１０３      外ガイドレール
１０４      飾り部材
１０５      表示装置
１０６      傾斜面
１０７      内ガイドレール
１０８      ガイド通路
【図１】
0005455046.tif 000002
【図２】
0005455046.tif 000003
【図３】
0005455046.tif 000004
【図４】
0005455046.tif 000005
【図５Ａ】
0005455046.tif 000006
【図５Ｂ】
0005455046.tif 000007
【図５Ｃ】
0005455046.tif 000008
【図６Ａ】
0005455046.tif 000009
【図６Ｂ】
0005455046.tif 000010
【図６Ｃ】
0005455046.tif 000011
【図６Ｄ】
0005455046.tif 000012
【図６Ｅ】
0005455046.tif 000013
【図７Ａ】
0005455046.tif 000014
【図７Ｂ】
0005455046.tif 000015
【図７Ｃ】
0005455046.tif 000016
【図８Ａ】
0005455046.tif 000017
【図８Ｂ】
0005455046.tif 000018
【図８Ｃ】
0005455046.tif 000019
【図８Ｄ】
0005455046.tif 000020
【図９Ａ】
0005455046.tif 000021
【図９Ｂ】
0005455046.tif 000022
【図９Ｃ】
0005455046.tif 000023
【図９Ｄ】
0005455046.tif 000024
【図１０Ａ】
0005455046.tif 000025
【図１０Ｂ】
0005455046.tif 000026
【図１０Ｃ】
0005455046.tif 000027
【図１０Ｄ】
0005455046.tif 000028
【図１１Ａ】
0005455046.tif 000029
【図１１Ｂ】
0005455046.tif 000030
【図１１Ｃ】
0005455046.tif 000031